(57)【特許請求の範囲】
【請求項１】
表示画面の色調整装置において、
カラー画像を表示するための表示手段と、
黒体輻射軌跡に沿って変更した、それと色度図上で略直交する位置の複数の色票を前記表示手段に表示する色票出力手段と、
前記表示手段に表示された複数の色票のうちの１つに色票を選択する選択手段と、
該選択手段により選択された色票に基づいて前記表示手段の表示画面の発光強度を調整する発光強度調整手段とを有することを特徴とする表示画面の色調整装置。
【請求項２】
フィルムから画像情報を読み取るための画像情報読取手段と、該画像情報読取手段による予備スキャンにより前記フィルムから読み取った画像データを記憶する記憶手段と、前記発光強度調整手段により発光強度が調整された前記表示手段に、前記記憶手段に記憶された前記画像データを表示する手段とを付加したことを特徴とする請求項１記載の表示画面の色調整装置。
【請求項３】
前記表示手段として、自己発光型のカラーＣＲＴを用いることを特徴とする請求項２記載の表示画面の色調整装置。
【請求項４】
前記表示手段として、自己発光型のカラー液晶パネルを用いることを特徴とする請求項２記載の表示画面の色調整装置。
【請求項５】
前記発光強度調整手段は、前記表示手段のゲインを調整するようにしたことを特徴とする請求項３又は４の何れかに記載の表示画面の色調整装置。
【請求項６】
前記発光強度調整手段は、前記表示手段へ与えるデータを記憶するテーブルのデータを変更することを特徴とする請求項３又は４の何れかに記載の表示画面の色調整装置。
【請求項７】
前記発光強度調整手段は、前記表示手段に与えるデータをマトリクス演算により求めることを特徴とする請求項３又は４の何れかに記載の表示画面の色調整装置。
【発明の詳細な説明】
【０００１】
【発明の属する技術分野】
本発明は表示画面の色調整装置に関し、更に詳しくは表示手段のホワイトカラーバランスを合わせる表示画面の色調整装置に関する。
【０００２】
【従来の技術】
フィルムに記録されている画像情報を読み取って情報記録媒体にカラー画像データとして記録するシステムが開発されてきている。この場合に、フィルムに記録されている画像情報を、ディジタル画像データに変換するに際し、カラーバランスを調整することが行われる。このカラーバランスをとる方法としては、表示画面のホワイトカラーバランスをとる方法が用いられる。
【０００３】
このホワイトカラーバランスをとる方法として、黒体輻射軌跡（ある物体に熱を加えると、発光色が赤→オレンジ→黄色→白→ブルーと変化する。このルートのことを黒体輻射軌跡という）上で適当な位置に動かす方法と、色度座標値の値を指示する方法がある。
【０００４】
【発明が解決しようとする課題】
しかしながら、表示手段（例えばＣＲＴ）自身の測色的な色度座標を合致させることは可能であるが、ＣＲＴ環境の白色の色度点は無視されており、例えば、環境が、蛍光灯などの黒色輻射軌跡上に存在しない場合には合致させることができず、また色度座標を直接指示して色再現させたとしても、観察環境の色度点とは違っていた。つまり、太陽光の下で色再現する場合と、蛍光灯の下で色再現する場合とでは、自己発光型のＣＲＴに表示される白色が同じデータでも異なって見えることがある。
【０００５】
このため、観察者は、自己発光型のＣＲＴで表示された白を白と認識できない場合があった。典型的な場合としては、蛍光灯下で観察すると、ＣＲＴの色は黄色や青色に見えるのみならず（即ち色温度の違いによる）、ピンクがかって見えることがあった。
【０００６】
自己発光型のＣＲＴモニタ上で厳密に色を見ようとすると、環境と白色点の違いが大きく、使用者はＣＲＴモニタ上の色を信頼することができなかった。ＣＲＴ自身は、物理的に正確な色度座標の白を持たせることが可能であるが、それを観察する環境は固定的でなく外色等で変動し、固定的だとしても、正確な白の色度点を測定することは困難であった。
【０００７】
本発明はこのような課題に鑑みてなされたものであって、観察環境が変わっても、観察環境に応じて最適なカラー画像を表示することができる表示画面の色調整装置を提供することを目的としている。
【０００８】
【課題を解決するための手段】
▲１▼前記した課題を解決する本発明は、表示画面の色調整装置において、カラー画像を表示するための表示手段と、該表示手段に複数の無彩色付近の色の色票を表示する色票出力手段と、前記表示手段に表示された複数の色票のうちの１つに色票を選択する選択手段と、該選択手段により選択された色票に基づいて前記表示手段の表示画面の発光強度を調整する発光強度調整手段とを有することを特徴としている。
【０００９】
本発明は、最終的には使用者が正しいと思える白を選ぶことができれば、使用者は満足するという点に着目してなされたものである。
この発明の構成によれば、表示手段に複数の白色を色票として表示しておき、この中から最も白らしいと使用者が思える色票を選択手段により１つだけ選択させ、最も好ましいと思える白の色票が求まったら、この選択した色票に基づいて発光強度調整手段が表示画面の発光強度を調整することにより、観察環境が変わっても、観察環境に応じて最適なカラー画像を表示することができる。
【００１０】
▲２▼この場合において、フィルムから画像情報を読み取るための画像情報読取手段と、該画像情報読取手段による予備スキャンにより前記フィルムから読み取った画像データを記憶する記憶手段と、前記発光強度調整手段により発光強度が調整された前記表示手段に、前記記憶手段に記憶された前記画像データを表示する手段とを付加したことを特徴としている。
【００１１】
この発明の構成によれば、フィルムに記録された画像をカラーバランスよく表示手段に表示することができる。
▲３▼この場合において、前記表示手段として、自己発光型のカラーＣＲＴを用いることを特徴としている。
【００１２】
この発明の構成によれば、自己発光型のＣＲＴを用いることにより、ＣＲＴのふらつきをも補正することができる。
▲４▼また、前記表示手段として、自己発光型のカラー液晶パネルを用いることを特徴としている。
【００１３】
この発明の構成によれば、自己発光型のカラー液晶パネルを用いることにより、自己発光型のカラー液晶パネルのふらつきをも補正することができ、角度による見えも補正することができる。
【００１４】
▲５▼また、前記発光強度調整手段は、前記表示手段のゲインを調整するようにしたことを特徴としている。
この発明の構成によれば、前記表示手段に与える画像データをゲイン変更で調整するため、処理に要する時間を短くすることができる。
【００１５】
▲６▼また、前記発光強度調整手段は、前記表示手段へ与えるデータを記憶するテーブルのデータを変更することを特徴としている。
この発明の構成によれば、毎回ディジタルで演算せず、テーブルに予めデータを書き込んでおくため、演算時間が短縮される。
【００１６】
▲７▼また、前記発光強度調整手段は、前記表示手段に与えるデータをマトリクス演算により求めることを特徴としている。
この発明の構成によれば、人間の色順応を考慮するため、白色系でなく、他の色についても自然なカラーバランスが得られる。
【００１７】
▲８▼更に、前記表示手段に、黒体輻射軌跡に沿って変更した、それと色度図上で略直交する位置の複数の色票を表示し、前記選択手段がその中から１つの色票を選択することを特徴としている。
【００１８】
この発明の構成によれば、ＣＲＴの色温度調整とディジタル系の調整を組み合わせることで、画面表示内での選択が容易になる。
【００１９】
【発明の実施の形態】
以下、図面を参照して本発明の実施の形態例を詳細に説明する。
図１は本発明の一実施の形態例を示すブロック図、図２は本発明の動作原理を示すフローチャートである。本発明は図２に示すように、表示画面に複数の無彩色付近の色票を表示する第１のステップＳ１と、その中から１つの色票を選択する第２のステップＳ２と、選択した色票に基づいて、表示画面の発光強度を調整するＳ３より構成されている。このような方法をとることにより、表示画面に複数の白色を色票として表示しておき、この中から最も白らしいと使用者が思える色票を１つだけ選択させるようにし、最も好ましいと思える白の色票が求まったら、この選択した色票に基づいて表示画面の発光強度を調整することにより、観察環境が変わっても、観察環境に応じて最適なカラー画像を表示することができる。
【００２０】
図１において、１は画像情報が記録された現像済みのネガフィルム、２は該ネガフィルム１の画像情報を読み取るスキャナ、３は該スキャナ２から出力されるネガのＲ，Ｇ，Ｂデータに対して光電変換素子（例えばＣＣＤ）の感度ムラ補正を行なうシェーディング補正部、４は該シェーディング補正部３の出力を受けて輪郭強調処理を施すＭＴＦ補正部である。この実施の形態例では、スキャナ２から出力されるＲ，Ｇ，Ｂデータは１２ビットであるものとする。
【００２１】
５はＭＴＦ補正部４の出力を受けて１２ビットデータを８ビットデータに圧縮する画像圧縮手段（１２→８ビット変換部）で、例えば対数変換ＬＵＴが用いられる。６は１２→８ビット変換部５の出力を記憶するフレームメモリである。該フレームメモリ６の容量としては、例えば２０４８×３０７２ドット程度のものが用いられる。７は該フレームメモリ６に記憶されているＲ，Ｇ，Ｂ画像データを読み出してＲ，Ｇ，Ｂそれぞれについてのヒストグラムを作成するヒストグラム作成部である。
【００２２】
１０は全体の動作を制御するＣＰＵ、１０ａは該ＣＰＵ１０内に設けられたデータ記憶用のメモリ、８は１２→８ビット変換部５の出力画像データ又はフレームメモリ６に記憶されている画像データを読み込んで、グレーバランス調整のための処理を行なう８→８ビット変換部である。該８→８ビット変換部８としては、例えばＬＵＴが用いられる。９は該８→８ビット変換部８の出力を受けてカラー階調特性の変換を行なう３次元ＬＵＴである。該３次元ＬＵＴ９には、サンプリングポイント以外の点については補間演算を行なう機能も含まれる。
【００２３】
１１は３次元ＬＵＴ９の出力を受けるビデオメモリ、１２は該ビデオメモリ１１の内容を常時表示するディスプレイである。該ディスプレイ１２としては、例えば自己発光型のＣＲＴやカラー液晶パネル等が用いられる。１３は３次元ＬＵＴ９の出力画像データが書き込まれるミニディスク（ＭＤ）である。該ＭＤ１３としては、例えば書き替え可能な情報記録媒体が用いられる。１４はＣＰＵ１０と接続され、各種コマンドの入力やカーソル等を移動させる操作部である。１６はディスプレイ１２に表示されるホワイトのバランスをとるために、Ｒ，Ｇ，Ｂデータにあるゲインを乗ずる演算部である。この乗算部でゲイン変更されたＲ，Ｇ，Ｂデータは、ビデオメモリ１１に記憶される。１５はＣＰＵと、ＭＴＦ補正部４，１２→８ビット変換部５，８→８ビット変換部８，３次元ＬＵＴ９及びヒストグラム作成部７間を接続するバスである。以下の動作において、各種データは、このバス１５を介してやりとりされる。このように構成された装置の動作を説明すれば、以下の通りである。
（１）グレーバランス調整
先ず、オペレータが操作部１４からプリスキャン（予備スキャン）モードを設定する。ネガフィルム１がスキャナ２に装着されると、スキャナ２はネガフィルム１に記録されている画像情報をコマ毎に粗く（例えば１９２×１２８ドット）読み込んでいく（予備スキャン）。ここで、フィルムとしてネガフィルムを用いることにより、撮影された画像データのダイナミックレンジを広くとることができる。スキャナ２には、例えばＣＣＤ等の光電変換素子がＲ，Ｇ，Ｂ毎に配置されており、Ｒ，Ｇ，Ｂ毎にネガ画像データが読み込まれる。スキャナ２により読み込まれたコマ画像データは、シェーディング補正部３でＣＣＤ素子の感度ムラ補正を受けた後、ＭＴＦ補正部４で輪郭強調処理が行なわれる。
【００２４】
ＭＴＦ補正部４の出力は、続く１２→８ビット変換部５に入り、対数圧縮が行なわれる。スキャナ２で読み取った画像データ１２ビットを８ビットに圧縮することにより、グレーバランス調整の時に、画像データの一部が失われたり、高輝度部分が飽和することがなくなる。１２→８ビット変換部５の出力は、一旦フレームメモリ６に記憶される。フレームメモリ６に記憶されたコマ画像データは、読み出されて８→８ビット変換部８に入り、所定の変換が行なわれる。該８→８ビット変換部８の出力は、３次元ＬＵＴ９に入り、所定のグレーバランス調整が行なわれる。この３次元ＬＵＴ９に入ったネガのＲ，Ｇ，Ｂデータは、ポジのＲ，Ｇ，Ｂデータに変換されると共に、対数圧縮されていたコマ画像データは元の１２ビットデータに戻る。
【００２５】
そして、該３次元ＬＵＴ９の出力は、ビデオメモリ１１に入り、この情報はディスプレイ１２に表示される。この時の画像は、３次元ＬＵＴ９により色変換された画像であるが、まだグレーバランス処理が行われていないので、そのカラーバランスは必ずしも合っていない画像である。オペレータは、ディスプレイ１２の表示を見てカラーバランスがうまく合っていないと認識したら、操作部１４からコマンドを入力して、グレーバランス処理モードに設定する。この結果、装置はグレーバランス処理モードになる。
【００２６】
オペレータは、ディスプレイ１２に表示されているコマ画像の本来グレーとなるべきポイントに十字や□等のカーソルを操作部１４を操作して合わせる。図３はディスプレイに表示されている画像のグレーとなるべきポイントにカーソルを合わせた状態を示す。画面２０内には撮影された画像が表示されており、この画像のグレー（無彩色）となるべきポイントにカーソル２１が表示されている。この位置で、オペレータが操作部１４のボタンをクリックすると、コマ画像上のグレーポイントが決定する。この位置情報は、ＣＰＵ１０のメモリ１０ａに記憶される。
【００２７】
ヒストグラム作成部７は、フレームメモリ６に記憶されているコマ画像データの前記指定されたポイントのＲ，Ｇ，Ｂ画像データを読み出す操作を指定されたグレーとなるべきポイントを複数ポイント指定してＲ，Ｇ，Ｂ画像データを読出し、ヒストグラムを作成する。図４はヒストグラム作成の様子を示す図である。Ｒ，Ｇ，Ｂ毎に、縦軸は画像データ値の出現頻度、横軸は画像データの階調（例えば０〜２５５）である。ここで、これらヒストグラムの左右の面積Ｓ１とＳ２が等しくなるように、線引きし、その点の値を中央値とする。
【００２８】
ＣＰＵ１０は、図４に示すＲ，Ｇ，Ｂ毎の中央値ＡＲ，ＡＧ，ＡＢを求める。その後、例えばグリーンＧの値を基準として、Ｒ，Ｇ，Ｂそれぞれの振幅がほぼ等しくなるような補正値を求める。Ｒの補正値（カラーバランス信号）ＣＲ，Ｂの補正値ＣＢはそれぞれ次式で表される。
【００２９】
ＣＲ＝ＡＲ−ＡＧ                                    （１）
ＣＢ＝ＡＢ−ＡＧ                                    （２）
ＣＰＵ１０は、（１），（２）式の演算結果をメモリ１０ａに記憶しておく。そして、このカラーバランス信号を用いて８→８ビット変換部８のリニアカーブから（１），（２）式の加減算を行ない、補正後のデータを求める。図５は、リニアカーブの補正の様子を示す図である。図はレッド（Ｒ）の補正の様子を示している。図において、ｆ１は８→８ビット変換部８の入出力関係を示す元の特性曲線、ｆ２は特性曲線ｆ１から（１）式で求めたカラーバランス信号ＣＲを差し引いた特性曲線である。図に示すように、ｆ２はｆ１を全ての入力にわたってＣＲだけシフトしたものとなっている。このような補正は、他のブルー（Ｂ）についても同様である。
【００３０】
ＣＰＵ１０は、このようにして求めたカラーバランス信号を、８→８ビット変換部８に補正データとして与える。この結果、それまで８→８ビット変換部８に設定されていたｆ１の特性曲線は、ｆ２の特性曲線に変換される。このようにして、Ｒ，Ｇ，Ｂデータ毎のピーク値がほぼ等しくなるような補正が行なわれることになる。
【００３１】
ＣＰＵ１０は、フレームメモリ６からのコマ画像データを読出し、補正された８→８ビット変換部８を通したものを、３次元ＬＵＴ９に入力し、ビデオメモリ１１を介してディスプレイ１２に表示させる。この結果、３次元ＬＵＴ９による変換後にグレーとなるように画像データが補正されることになる。ディスプレイ１２には、修正後のグレー画像が得られ、グレーバランスの効果を確認することかできる。
【００３２】
以上、画像１コマについての修正動作を説明したが、実際にはフィルム１に記録されている全てのコマ画像について、（１），（２）式で表されるカラーバランス信号が求められ、ＣＰＵ１０内のメモリ１０ａに記憶されることになる。つまり、本発明によれば、コマ毎にグレーバランス調整が行なわれることになる。
【００３３】
このようにして、予備スキャン（プリスキャン）によるグレーバランス調整が終了したら、装置は本スキャンに入る。本スキャンに入るには、オペレータが操作部１４から本スキャンモードに設定してやる。本スキャンモードでは、フィルムのコマ画像が２０４８×３０７２ドットの精度でスキャナ２により読み込まれる。読み込まれた画像データは、シェーディング補正部３→ＭＴＦ補正部４→１２→８ビット変換部５を経て８→８ビット変換部８に入る。この場合において、８→８ビット変換部８のＬＵＴの特性は、ＣＰＵ１０によりメモリ１０ａに記憶されているカラーバランス信号により最適値に設定される。８→８ビット変換部８に入った画像データは、カラーバランス補正を受けることになる。８→８ビット変換部８の出力は、３次元ＬＵＴ９に入り、色変換を受けた後、ミニディスク（ＭＤ）１３に書き込まれる。以上の操作を全てのコマ画像に対して行うことにより、ミニディスク１３へのコマ画像の書き込みが終了する。この場合において、次のコマ画像の場合には、ＣＰＵ１０のメモリ１０ａに記憶されている当該コマ用の補正データで８→８ビット変換部のグレーバランスを調整して変換する。以下、全てのコマ画像について同様の操作を繰り返す。
（２）ホワイトバランス調整
前述のグレーバランス調整で装置のカラーバランス調整は終了したことになる。次に、操作者は操作部１４からホワイトバランス調整モードを指定してやると、装置はホワイトバランス調整モードになる。本発明は、前述したように、最終的には使用者が正しいと思える白を選ぶことができれば、使用者は満足するという点に着目してなされたものである。ＣＰＵ１０内のメモリ１０ａには、複数の無彩色近辺の色票を表示するための、Ｒ，Ｇ，Ｂデータが予め記憶されている。ＣＰＵ１０は、これら複数のＲ，Ｇ，Ｂデータの色票をディスプレイ１２に表示する。
【００３４】
図６は複数の無彩色近辺の色の表示例（２次元配列）を示す図である。図では、７×７の色票が表示されている。この例では、図中のＲ，Ｇ，Ｂの数字は、画像データ（０〜２５５）の組み合わせ例を示しており、左上が緑、右上が青、左下が黄色、右下がピンク色になる。図中の色票の一部には、Ｒ，Ｇ，Ｂデータが記載されているが、実際の表示には現れないものであり、参考に示されている。オペレータは、これらディスプレイ１２に表示されている複数の色票の中から、自己が最も白色に近いと思われる色票に操作部１４を操作してカーソルを合わせ、操作部１４のボタンをクリックしてやる。この結果、ＣＰＵ１０は選択手段により選択された１個の色票のＲ，Ｇ，Ｂデータを認識する。
【００３５】
例えば、中央の左下を指定した場合、表示されている画像データは、（Ｒ，Ｇ，Ｂ）＝（２５５，２４３，２３１）である。ＣＰＵ１０は、この認識した色票のＲ，Ｇ，Ｂデータを演算部１６に与え、該演算部１６は次式により新しいＲ，Ｇ，Ｂデータを求める。新しいＲ，Ｇ，ＢデータＲＮ，ＧＮ，ＢＮは、以下のようになる。
【００３６】
ＲＮ＝（２５５／２５５）×Ｒ                                （３）
ＧＮ＝（２４３／２５５）×Ｇ                                （４）
ＢＮ＝（２３１／２５５）×Ｂ                                （５）
（３）〜（５）は元のＲ，Ｇ，Ｂデータにゲイン変更を行なったことを示している。このように、ディスプレイ１２に与える画像データをゲイン変更で調整するため、処理に要する時間を短くすることができる。
【００３７】
３次元ＬＵＴ９の出力に、（３）〜（５）式の演算を行ない、ビデオメモリ１１を介してディスプレイ１２に表示させることにより、本来のデータの白は、オペレータがその環境で白と思える値とすることができる。この実施の形態例によれば、表示画面に複数の白色を色票として表示しておき、この中から最も白らしいと使用者が思える色票を１つだけ選択させるようにしたものである。最も好ましいと思える白の色票が求まったら、この選択した色票に基づいて表示画面の発光強度を調整することにより、観察環境が変わっても、観察環境に応じて最適なカラー画像を表示することができる。
【００３８】
ここで、ディスプレイ１２として、自己発光型のカラーＣＲＴを用いることにより、ＣＲＴのふらつきをも補正することができる。また、ディスプレイ１２として、自己発光型のカラー液晶パネルを用いることにより、自己発光型のカラー液晶パネルのふらつきをも補正することができる。液晶パネルは観察角度で色が変わるが、この実施の形態例によれば、角度による見えも補正することができる。
【００３９】
上述の実施の形態例では、（３）〜（５）の式を演算部１６で演算させる場合を例にとった。しかしながら、本発明はこれに限るものではなく、（３）〜（５）を予め０〜２５５の階調でテーブル化しておくこともできる。この場合には、演算部１６にテーブルを設けておくだけでよい。このような構成をとると、毎回の演算が不要になり、単純にＬＵＴだけですむ。テーブル化には、１次元のテーブルに書き込むことも可能であるし、また図２に示すように３次元ＬＵＴの出力が直接ビデオメモリ１１に接続されている構成の場合には、これを書き換えておき、表示することもできる。この実施の形態例によれば、毎回ディジタルで演算せず、テーブルに予め変換データを書き込んでおくため、演算時間が短縮される。    上述の実施の形態例では、元のＲ，Ｇ，Ｂ画像データにあるゲインを乗じるようにしてディスプレイ１２に表示する画像データを作成した場合を例にとったが、ホワイトバランスをとる方法としては、必ずしも前述したＲ，Ｇ，Ｂデータをゲイン変換する場合に限らずその他の方法を用いることもできる。
【００４０】
例えば、ｖｏｎ    Ｋｒｉｅｓタイプの順応を想定して、いったん人間の網膜レベルの３刺激値（Ｌ，Ｍ，Ｓ）に変換し、そこでバランスが合うようにし、更にそれをＲ，Ｇ，Ｂ値に戻す方法をとることもできる。先ず、以下に示すような式で３個の値（Ｘ，Ｙ，Ｚ）を求める。
【００４１】
【数１】
0003616217.tif 000002
【００４２】
次に、（６）式により求まった（Ｘ，Ｙ，Ｚ）値を基に、次式により３刺激値（Ｌ，Ｍ，Ｓ）を求める。
【００４３】
【数２】
0003616217.tif 000003
【００４４】
（７）式により、従来のＲ２５５，Ｇ２５５，Ｂ２５５に対応するＬ２５５，Ｍ２５５，Ｓ２５５を求め、同様に、オペレータが選択したＲｕｓｅｒ，Ｇｕｓｅｒ，Ｂｕｓｅｒに対応するＬｕｓｅｒ，Ｍｕｓｅｒ，Ｓｕｓｅｒを求める。任意のＲ，Ｇ，Ｂに対応する値をＲｏｌｄ，Ｇｏｌｄ，Ｂｏｌｄとすると、次式のようになる。
【００４５】
Ｌｎｅｗ＝Ｌｏｌｄ×（Ｌｕｓｅｒ／Ｌ２５５）            （８）
Ｍｎｅｗ＝Ｍｏｌｄ×（Ｍｕｓｅｒ／Ｍ２５５）            （９）
Ｓｎｅｗ＝Ｓｏｌｄ×（Ｓｕｓｅｒ／Ｓ２５５）            （１０）
これから、（７）式，（６）式を逆に解けば、順応を考慮したＲＧＢ値であるＲｎｅｗ，Ｇｎｅｗ，Ｂｎｅｗを求めることができる。この演算をＲ，Ｇ，Ｂの組み合わせに対して行なっておき、３次元ＬＵＴの出力に置き換えば、高速に画像色変換できる。この実施の形態例によれば、人間の色順応を考慮するため、白色系でなく、他の色についても自然なカラーバランスを得ることができる。
【００４６】
上述の実施例では、色票として図６に示すような２次元配列の色票を使用してオペレータに好みの白を選択させる場合を例にとったが、本発明はこれに限るものではない。例えば、黒体輻射軌跡とほぼ垂直になる１次元色票を図７に示すようにディスプレイ１２に表示しておき、それからオペレータが最適と思われる色票を選択し、上述の計算を行わせるようにしてもよい。この場合には、ＣＲＴの色温度調整機能と連動させる。即ち、先ずＣＲＴの調整機能を利用して最も白らしく感じる色温度点を探し、次に色票から最も白色らしいものを選ぶようにする。この実施の形態例によれば、ＣＲＴの色温度調整とディジタル系の調整を組み合わせることで、画面表示内での選択が容易になる。
【００４７】
【発明の効果】
以上、詳細に説明したように、
▲１▼本発明によれば、表示画面の色調整装置において、カラー画像を表示するための表示手段と、該表示手段に複数の無彩色付近の色の色票を表示する色票出力手段と、前記表示手段に表示された複数の色票のうちの１つに色票を選択する選択手段と、該選択手段により選択された色票に基づいて前記表示手段の表示画面の発光強度を調整する発光強度調整手段とを有することにより、表示手段に複数の白色を色票として表示しておき、この中から最も白らしいと使用者が思える色票を選択手段により１つだけ選択させ、最も好ましいと思える白の色票が求まったら、この選択した色票に基づいて発光強度調整手段が表示画面の発光強度を調整することにより、観察環境が変わっても、観察環境に応じて最適なカラー画像を表示することができる。
【００４８】
▲２▼この場合において、フィルムから画像情報を読み取るための画像情報読取手段と、該画像情報読取手段による予備スキャンにより前記フィルムから読み取った画像データを記憶する記憶手段と、前記発光強度調整手段により発光強度が調整された前記表示手段に、前記記憶手段に記憶された前記画像データを表示する手段とを付加することにより、フィルムに記録された画像をカラーバランスよく表示手段に表示することができる。
【００４９】
▲３▼この場合において、前記表示手段として、自己発光型のカラーＣＲＴを用いることにより、ＣＲＴのふらつきをも補正することができる。
▲４▼また、前記表示手段として、自己発光型のカラー液晶パネルを用いることにより、自己発光型のカラー液晶パネルのふらつきをも補正することができ、角度による見えも補正することができる。
【００５０】
▲５▼また、前記発光強度調整手段は、前記表示手段のゲインを調整するようにしたことにより、処理に要する時間を短くすることができる。
▲６▼また、前記発光強度調整手段は、前記表示手段へ与えるデータを記憶するテーブルのデータを変更することにより、毎回ディジタルで演算せず、テーブルに予めデータを書き込んでおくため、演算時間が短縮される。
【００５１】
▲７▼また、前記発光強度調整手段は、前記表示手段に与えるデータをマトリクス演算により求めることにより、人間の色順応を考慮するため、白色系でなく、他の色についても自然なカラーバランスが得られる。
【００５２】
▲８▼更に、前記表示手段に、黒体輻射軌跡に沿って変更した、それと色度図上で略直交する位置の複数の色票を表示し、前記選択手段がその中から１つの色票を選択することにより、ＣＲＴの色温度調整とディジタル系の調整を組み合わせることで、画面表示内での選択が容易になる。
【００５３】
このように、本発明によれば、観察環境が変わっても、観察環境に応じて最適なカラー画像を表示することができる表示画面の色調整装置を提供することができる。
【図面の簡単な説明】
【図１】本発明の一実施の形態例を示すブロック図である。
【図２】本発明の動作原理を示すフローチャートである。
【図３】カーソル位置設定の説明図である。
【図４】ヒストグラム作成の様子を示す図である。
【図５】リニアカーブの補正の様子を示す図である。
【図６】複数の無彩色近辺の色の表示例（２次元配列）を示す図である。
【図７】複数の無彩色近辺の色の表示例（１次元配列）を示す図である。
【符号の説明】
１    ネガフィルム
２    スキャナ
３    シェーディング補正部
４    ＭＴＦ補正部
５    １２→８ビット変換部
６    フレームメモリ
７    ヒストグラム作成部
８    ８→８ビット変換部
９    ３次元ＬＵＴ
１０    ＣＰＵ
１０ａ    メモリ
１１    ビデオメモリ
１２    ディスプレイ
１３    ミニディスク（ＭＤ）
１４    操作部
１５    バス
１６    演算部
【図１】
0003616217.tif 000004
【図２】
0003616217.tif 000005
【図３】
0003616217.tif 000006
【図４】
0003616217.tif 000007
【図５】
0003616217.tif 000008
【図６】
0003616217.tif 000009
【図７】
0003616217.tif 000010